(57)【要約】      （修正有） 【課題】カバー体を備えた飲料用容器において、スプリングを使用しないでワンタッチ開閉が可能であるカバー体開閉係止機構を提供する。【解決手段】カバー体に、先端を鉤状係止突部とした係止部４３を付設し、蓋体に、前記係止突部が係止されてカバー体の開放を制止する係止受け部４５３を有するスライド体４５を、係止突部の係止解除可能にスライド移動可能に付設し、前記スライド体に、撓曲部位４５５を形成すると共に、前記撓曲部位に傾斜壁面４５６を設け、カバー体に、カバー体閉塞時に前記傾斜壁面と当接してスライド体を係止方向に付勢する付勢作用部４４を設けて、カバー体閉塞時に傾斜壁面と付勢作用部との当接でスライド体の係止解除方向の移動を阻止してカバー体の係止をなし、スライド体の移動操作で係止解除される際に、撓曲部位の撓曲及び復帰作用でカバー体を開放方向に跳ね上げる蓋体開閉係止機構を備えてなる。【選択図】図７
0003111616.tif 000002
【実用新案登録請求の範囲】
【請求項１】
容器体と、容器体の開口部に装着した蓋体と、蓋体を覆うようにヒンジ機構で煽り開閉自在に蓋体に装着したカバー体で構成され、カバー体に、先端を鉤状係止突部とした係止部を付設し、蓋体に、前記係止突部が係止されてカバー体の開放を制止する係止受け部を有するスライド体を、係止突部の係止解除可能にスライド移動自在に付設し、前記スライド体に、撓曲部位を形成すると共に、前記撓曲部位に傾斜壁面を設け、カバー体に、カバー体閉塞時に前記傾斜壁面と当接してスライド体を係止方向に付勢する付勢作用部を設けて、カバー体閉塞時に傾斜壁面と付勢作用部との当接でスライド体の係止解除方向の移動を阻止してカバー体の係止をなし、スライド体の移動操作で係止解除される際に、撓曲部位の撓曲及び復帰作用でカバー体を開放方向に跳ね上げる蓋体開閉係止機構を備えてなることを特徴とする飲料用容器。
【請求項２】
スライド体に軸部を設けると共に、外周面をロック面部とロック面部より短径となるように凹んでいる非ロック面部に形成したロック体を、前記軸部に装着し、蓋体所定位置に、前記ロック体が所定角度回動してロック面部が当接して、スライド体の係止解除方向への移動を制止する制止部を設けてなる請求項１記載の飲料用容器。
【請求項３】
蓋体上面に突出する飲み口部と、カバー体の所定位置にカバー体閉塞時に飲み口部を閉塞する閉塞部とを設けると共に、係止突部における係止方向に係止受け部の乗り上げ傾斜面部を設け、制止部とロック面部との当接で、スライド体を係止方向に移動させ、係止受け部を乗り上げ傾斜面部に位置させてなる請求項２記載の飲料用容器。
【考案の詳細な説明】
【技術分野】
【０００１】
本考案は、カバー体の開閉係止機構に特徴を備える飲料用容器に関するものである。
【背景技術】
【０００２】
飲料用容器は、金属製真空二重構造を採用して断熱構造としたり、或いは樹脂製の単一構造のタンクとする等の飲料収納部分となる容器体と、飲み口部や注ぎ口や中栓部等を組み込んで、容器体の開口部に装着した蓋体と、蓋体を覆うようにヒンジ機構で煽り開閉自在に蓋体に装着したカバー体で構成される。
【０００３】
カバー体の開閉係止機構は、一般的に、カバー体の開放方向に付勢するスプリングと、カバー体の閉塞状態を維持する係止と、前記係止状態の解除を可能とする係止構造を備え、係止解除操作時にスプリングの作用でカバー体が跳ね上げられる所謂ワンタッチカバーが採用されている。
【０００４】
前記のカバー体開閉係止機構にスプリングが採用されているので、カバー体閉塞時には、前記の付勢力に抗してカバー体を操作しなければならないし、スプリングの採用によって製造時には、スプリングの反発力を押さえ込んだ状態で組み込み作業が行われるために、製造が煩瑣となる。
【０００５】
またカバー体の開放自体にスプリングを採用しない構造が、特許文献１（実開平２−６４３２７号公報）に開示されている。この構造は、係止解除に際して、係止解除操作でカバー体に付属させた作動爪を撓ませ、この撓みの反発力でカバー体を跳ね上げるようにしているものである。
【０００６】
【特許文献１】実開平２−６４３２７号公報。
【考案の開示】
【考案が解決しようとする課題】
【０００７】
カバー体の開放動作にスプリング等を採用していない特許文献１記載の構造は、係止解除操作において、解除操作時に加えた力で作動爪を撓ませ、この作動爪の撓みの反発力でカバー体を跳ね上げるように記載している。然し作動爪の撓み方向は、係止部材の移動方向であり、カバー体の回動方向と略直交しているもので、撓み反発力がカバー体開放回動に効果的に作用するとは認められない。即ち前記構造は、ワンタッチ開放構造とは言えない。
【０００８】
また前記特許文献１に開示されている係止構造は、係止部材の移動を阻止して係止状態を維持するために、係止部材を係止方向に付勢するスプリングを採用しているものであり、スプリング採用に伴う製造上のデメリットは抱えたままである。
【０００９】
更に係止部材が外部に露出状態であるので、携帯容器として採用した場合に、携帯中に誤って係止部材に触れてしまったり、カバンなどに収納して運搬した場合に、カバン内で係止部材がカバン内の他の部材と接触して押圧してしまうなどして、カバー体が開口する虞がある。特に飲み口の閉塞をカバー体で実施している場合は、内部飲料が零れ出てしまう虞がある。
【００１０】
そこで本考案は、第一にスプリングを使用しないワンタッチ開閉のカバー体開閉係止機構を備えた飲料用容器を提供し、第二にカバー体の不測の開放がなされないロック機構を備えた飲料用容器を提供したものである。
【課題を解決するための手段】
【００１１】
本考案に係る飲料用容器は、容器体と、容器体の開口部に装着した蓋体と、蓋体を覆うようにヒンジ機構で煽り開閉自在に蓋体に装着したカバー体で構成され、カバー体に、先端を鉤状係止突部とした係止部を付設し、蓋体に、前記係止突部が係止されてカバー体の開放を制止する係止受け部を有するスライド体を、係止突部の係止解除可能にスライド移動自在に付設し、前記スライド体に、撓曲部位を形成すると共に、前記撓曲部位に傾斜壁面を設け、カバー体に、カバー体閉塞時に傾斜壁面と付勢作用部との当接でスライド体の係止解除方向の移動を阻止してカバー体の係止をなし、スライド体の移動操作で係止解除される際に、撓曲部位の撓曲及び復帰作用でカバー体を開放方向に跳ね上げる蓋体開閉係止機構を備えてなることを特徴とするものである。
【００１２】
従ってカバー体を閉塞方向に回動して下圧すると、係止突部が係止受け部に係止されるようにスライド体を移動させようとし、同時に付勢作用部が傾斜壁面と当接してスライド体を逆方向に移動させようとする力が作用する。そこで撓曲部位が下方に撓むことでスライド体の係止動作可能位置までの移動が可能となり、係止突部が係止位置に達すると、前記の下方に撓んだ撓曲部位が復帰することで、スライド体も復帰動作をなして、係止突部が係止受け部に係止される。係止後には、付勢作用部が傾斜壁面と当接して、スライド体の係止解除方向移動を阻止する。即ちスライド体は、付勢作用部と傾斜壁面との当接で、係止解除方向への移動が阻止されているので、係止状態が安定して維持される。そしてスライド材を外力（人による操作）で解除方向に移動させると、付勢作用部と傾斜壁面との当接部分が強く押されて撓曲部位が撓み、係止突部と係止受け部との係止が解除され、同時に撓曲部位の撓み復帰力で付勢作用部を跳ね上げ、カバー体は開放回動を行うものである。
【００１３】
また本考案（請求項２）は、スライド体に軸部を設けると共に、外周面をロック面部とロック面部より短径となるように凹んでいる非ロック面部に形成したロック体を、前記軸部に装着すると共に、蓋体所定位置に、前記ロック体が所定角度回動してロック面部が当接して、スライド体の係止解除方向への移動を制止する制止部を設けてなるものである。
【００１４】
従ってロック体を回動して非ロック面部を制止部と対面させると、スライド体はスライド可能となり、カバー体の閉塞係止、並びに係止解除が可能であり、カバー体を閉塞係止した状態でロック体を回動して、ロック面部と制止部とを当接する状態にすると、スライド体の解除方向移動が阻止され、係止状態のままロックされることになる。
【００１５】
また本考案（請求項３）は、蓋体上面に突出する飲み口部と、カバー体の所定位置にカバー体閉塞時に飲み口部の開口上端を閉塞するパッキン部とを設けると共に、係止突部における係止方向に係止受け部の乗り上げ傾斜面部を設け、制止部とロック面部との当接で、スライド体を係止方向に移動させ、係止受け部を乗り上げ傾斜面部に位置させてなるものである。
【００１６】
従って制止部とロック面部との当接で、スライド体を係止方向に移動させ、係止受け部を乗り上げ傾斜面部に位置させると、相対的にカバー体が閉塞方向に付勢され、飲み口部の閉塞を確実なものとし、飲み口部から内部飲料が零れ出るのを防止できる。
【考案の効果】
【００１７】
本考案は上記のとおりであるから、スプリングを採用することなくカバー体のワンタッチ開放を実現したものであり、特にロック機構（請求項２）や圧力閉塞機構（請求項３）を採用することで、カバー体の不測の開放や液漏れなどを確実に防止したものである。
【考案を実施するための最良の形態】
【００１８】
実施形態に示した飲料用容器は、容器体１と、蓋体２と、カバー体３で構成され、蓋体２とカバー体３には、係止機構部４を組み込んでなる。
【００１９】
容器体１は、金属製真空二重構造の断熱容器部１１と、断熱容器部１１の開口部に固着した樹脂製の蓋体装着部１２からなり、蓋体装着部は外周面に蓋体２を螺合装着できる螺子部を設けてなる。
【００２０】
蓋体２は、キャップ形状で前記蓋体装着部１２に螺合着脱自在とした本体２１に、カバー体３を装着するヒンジ機構部２２を設けると共に、上面に飲み口部２３を突設し、更に容器体１内と連通する空気孔２４を設けてなる。尚飲み口部２３の下端部には、容器体１内の底面まで達するチューブ２５を接続してなる。
【００２１】
カバー体３は、前記ヒンジ機構部２２に装着して伏せ碗状のカバー本体部３１を煽り開閉自在としたもので、前記カバー本体部３１の内裏面に、カバー体３で蓋体２を被覆閉塞した際、飲み口部２３の上端開口部と当接する位置にパッキン部３２を設け、空気孔２４と対面する位置に、通気閉塞部３３を設けたものである。
【００２２】
前記の蓋体２とカバー体３には、カバー体３の閉塞時にカバー体３の開放を阻止し、またワンタッチで開放できる係止機構部４を組み込んだもので、蓋体２側には、スライド体収納部４１と制止部４２を設け、カバー体３側には、係止部４３と付勢作用部４４を設け、更に独立部材としたスライド体４５と、ロック体４６を組み込んでなる。
【００２３】
尚以下の説明について、ヒンジ機構部２２が設けられている方を基方と規定し、カバー体３の開放側端部方向を先方と規定して説明する。
【００２４】
スライド体４５は、先方の上段面部４５１ａと、基方の下段面部４５１ｂと、基端に全体を指で先方に押しだすことができるような操作面部４５１ｃを設けたもので、先方の上段面部４５１ａと、基方の下段面部４５１ｂとは側壁面部４５１ｄで繋がって一体となっているものである。
【００２５】
前記上段面部４５１ａの先方部分には、透孔４５２を形成し、透孔４５２の先方側端縁を係止受け部４５３とし、更に上段面部４５１ａの基方は、左右側縁に切り込み４５４を入れて、下方への撓曲を可能とした撓曲部位４５５を設け、撓曲部位４５５の基端には上方に立ち上がる壁部を設け、当該壁部の先方側壁面を、上部が基方に後退する傾斜壁面４５６を設けたものである。
【００２６】
また下段面部４５１ｂには、軸部４５７を上方に突設したもので、下段面部４５１ｂの両側には側壁面部４５１ｄが立ち上がっている。
【００２７】
ロック体４６は、軸部４５７に回動自在に軸装するもので、外周面をロック面部４６１と、非ロック面部４６２と、レバー部４６３とを備えたもので、ロック面部４６１は、下段面部４５１ｂの先端より突出する外周面としたものである。非ロック面部４６２は、ロック面部４６１より短径となるように凹んでいるものであり、更にレバー部４６３は、先方にロック面部４６１や非ロック面部４６２が選択的に位置するように切り替え操作するためのもので、ロック体４６を軸部４５７に軸装した際に、操作面部４５１ｃの上方位置で基方側に突出するように設けたものである。
【００２８】
尚ロック体４６には、所定の回動位置（ロック位置、非ロック位置）で安定するように、適宜なクリック機構を付設するものである。
【００２９】
前記のスライド体４５は、ロック体４６を軸装した状態で、蓋体２のスライド体収納部４１に、上下方向に移動できないように差込装着するもので、スライド体４５が先基方向で適宜範囲のスライド移動が可能となり、且つ基方に抜け出ないように装着する。
【００３０】
制止部４２は、ロック体４６のロック面部４６１や非ロック面部４６２が対面する位置で、且つロック体４６の回動によってロック面部４６１と強く当接する位置に設けたものである。
【００３１】
カバー体３側の係止部４３は、カバー体３を閉塞方向に回動した際に先端の鉤状係止突部４３１が係止受け部４５３に係止される位置で、且つ下端前面は、鉤状係止突部４３１の鉤状部が係止位置に侵入できるような傾斜面としている。更に鉤状部分の上面基方側に、乗り上げ傾斜面部４３２を形成してなる。
【００３２】
また付勢作用部４４は、カバー体３の閉塞時に、傾斜壁面４５６と当接してスライド体４５を係止方向（基方方向）に付勢する位置に設けたものである。
【００３３】
而してカバー体３が開放状態の場合には、非ロック面部４６２が制止部４２と対面し、レバー部４６３が所定の方向に位置している。
【００３４】
この状態でカバー体３を閉塞方向に回動して下圧すると、鉤状係止突部４３１が透孔４５２に侵入し、前面傾斜面で透孔４５２の前縁（係止受け部４５３）を先方に押し出しながら下降する。これによってスライド体４５は、先方に移動する力が加わる。同時に付勢作用部４４が傾斜壁面４５６と当接してスライド体４５の先方移動を阻止すると共に、基方に押し出そうとする。
【００３５】
そこで更に下圧すると、係止部４３によってスライド体４５は強制的に先方に移動させられると同時に、スライド体４５の撓曲部位４５５の下方へ撓むことによって、前記のスライド体４５の先方移動が実現する。そして係止突部４３１の鉤状部が係止受け部４５３の下方位置に達すると、係止部４３によるスライド体４５の強制移動力が解除され、撓曲部位４５５が付勢作用部４４の傾斜壁面４５６との当接面に添って上方復帰するので、スライド体４５は、基方に移動し、係止部４３と係止受け部４５３の係止が実現する。
【００３６】
前記の係止部４３と係止受け部４５３の係止がなされた状態では、撓曲部位４５５の傾斜壁面４５６と付勢作用部４４が当接し、スライド体４５の先方移動（係止解除方向移動）を阻止して、安定した係止状態を維持する。
【００３７】
更にカバー体３を閉塞した後に、ロック体４６のレバー部４６３を操作して、制止部４２をロック面部４６１で強く押圧するようにすると、スライド体４５は僅かに基方に移動する。
【００３８】
この状態では、スライド体４５の先方移動（係止解除方向移動）が、制止部４２とロック面部４６１の当接で確実に阻止され、スライド体４５に外部からの力が加わってもスライド体４５が先方に移動することが無いので、誤ってカバー体３が開放されることが無い。
【００３９】
更にスライド体が僅かに基方に移動すると、係止受け部４５３が、乗り上げ傾斜面部４３２に乗り上げる。このときスライド体４５の上方移動は阻止されている状態であるから、相対的にカバー体３が閉塞方向に付勢されることになる。この付勢力によってパッキン部３２が飲み口部２３の上端開口部を強圧することになり、飲み口部２３から内部飲料が零れ出るのを防止しているものである。
【００４０】
カバー体３の開放は、ロック体４６のレバー部４６３を操作して、制止部４２と非ロック面部４６２とを対面させ、スライド体４５の先方移動（係止解除方向移動）を可能な状態とし、操作面部４５１ｃを指で押圧して先方移動させると、付勢作用部４４と傾斜壁面４５６との当接部分が強く押され、撓曲部位４５５が下方に撓む。この撓み動作が進行する途中で、係止突部４３１と係止受け部４５３との係止が解除されると、撓曲部位４５５の撓み復帰力で付勢作用部４４を跳ね上げ、カバー体３は開放回動をなすものである。
【００４１】
従ってカバー体の開閉係止機構に、特にスプリング材を使用することなく、係止状態の維持並びに係止解除時のカバー体３の開放付勢がなされ、更にロック体４６の採用によって不測の係止解除動作がなされるのを防止し、同時に飲み口部２３の密閉も実現したものである。
【００４２】
また本考案は、前記実施形態に限定されるものではなく、例えば図８に例示するように飲み口部２３ａにチューブ体を採用し、カバー体３ａの閉塞で当該チューブ体の途中部分を塞ぐようにしても良い。
【００４３】
また図９に示すように、飲み口部２３ｂを蓋体２に上下動可能に設けると共に、スプリングを採用して上方へ突出付勢する構造を採用する等しても良い。この場合には、カバー体３ｂの開放に際して、飲み口部２３ｂの突出付勢力がカバー体の開放回動に作用するものである。
【００４４】
本考案は、カバー体の閉塞を実現する係止機構部にスプリングの採用をなくしたものであり、係止機構部以外の構成は任意に定められるものであり、図８に例示したように、カバー体の係止機構部以外にスプリングを採用することを排除したものではない。
【図面の簡単な説明】
【００４５】
【図１】本考案の実施形態の係止機構部の要部分解斜視図。
【図２】同容器上方部分の断面図（ロック状態）。
【図３】同ロック機能の説明図（ロック状態）。
【図４】同係止部の拡大図。
【図５】同容器上方部分の断面図（非ロック状態）。
【図６】同ロック機能の説明図（非ロック状態）。
【図７】同容器上方部分の断面斜視図（非ロック状態）。
【図８】同飲み口部の別例（第二実施例）を示す断面図。
【図９】同飲み口部の別例（第三実施例）を示す断面図。
【符号の説明】
【００４６】
１          容器体
１１        断熱容器部
１２        蓋体装着部
２          蓋体
２１        本体
２２        ヒンジ機構部
２３        飲み口部
２４        空気孔
２５        チューブ
３          カバー体
３１        カバー本体部
３２        パッキン部
３３        通気閉塞部
４          係止機構部
４１        スライド体収納部
４２        制止部
４３        係止部
４３１      鉤状係止突部
４３２      乗り上げ傾斜面部
４４        付勢作用部
４５        スライド体
４５１ａ    上段面部
４５１ｂ    下段面部
４５１ｃ    操作面部
４５１ｄ    側壁面部
４５２      透孔
４５３      係止受け部
４５４      切り込み
４５５      撓曲部位
４５６      傾斜壁面
４５７      軸部
４６        ロック体
４６１      ロック面部
４６２      非ロック面部
４６３      レバー部
４６４      制止突起
【図１】
0003111616.tif 000003
【図２】
0003111616.tif 000004
【図３】
0003111616.tif 000005
【図４】
0003111616.tif 000006
【図５】
0003111616.tif 000007
【図６】
0003111616.tif 000008
【図７】
0003111616.tif 000009
【図８】
0003111616.tif 000010
【図９】
0003111616.tif 000011